(57)【要約】【課題】処理能力を超えることよる誤動作を防止する。【解決手段】複数の認証遠隔操作装置のうち、認証に用いた認証遠隔操作装置から、データ処理に必要な認証が得られたことを示す認証許可情報を受信する認証信号送受信部１０７と、認証信号送受信部１０７が認証許可情報を受信すると、認証許可情報により許可されたデータの処理を行っている旨を示す通知情報を、複数の認証遠隔操作装置に通知する認証信号送受信部１０７および処理能力情報送信部１０８を備えている。【選択図】図１
2010041432.tif 000002
【特許請求の範囲】
【請求項１】
当該データ処理装置において行われるデータ処理に必要な認証を、通信機能を用いて外部の認証装置との間で行う機能、および、当該データ処理装置をリモート操作する機能を有する複数の認証遠隔操作装置と通信可能なデータ処理装置であって、
上記複数の認証遠隔操作装置のうち、認証に用いた認証遠隔操作装置から、データ処理に必要な認証が得られたことを示す認証許可情報を受信する認証許可情報受信手段と、
上記認証許可情報受信手段が上記認証許可情報を受信すると、上記認証許可情報により許可されたデータの処理を行っている旨を示す通知情報を、上記複数の認証遠隔操作装置に通知する通知情報送信手段と、を備えていることを特徴とするデータ処理装置。
【請求項２】
上記認証許可情報および上記通知情報の内容を表示する表示部を備えていることを特徴とする請求項１に記載のデータ処理装置。
【請求項３】
上記通知情報は、当該データ処理装置が、上記認証許可情報により許可されたデータの処理を行っているときに、当該データ処理装置に残存している処理能力を示す残存処理能力情報を含むことを特徴とする請求項１または２に記載のデータ処理装置。
【請求項４】
上記通知情報送信手段は、上記複数の認証遠隔操作装置のうち、認証に用いた認証遠隔操作装置を除く認証遠隔操作装置から通知情報の通知要求を受けると、該認証遠隔操作装置に通知情報を通知することを特徴とする請求項１〜３のいずれか１項に記載のデータ処理装置。
【請求項５】
上記通知情報送信手段は、上記複数の認証遠隔操作装置に対して予め設定されている優先順位に従って上記通知情報を順番に通知することを特徴とする請求項１〜４のいずれか１項に記載のデータ処理装置。
【請求項６】
上記通知情報送信手段は、無線で接続可能な認証遠隔操作装置に対し、通知情報を通知することを特徴とする請求項１〜５のいずれか１項に記載のデータ処理装置。
【請求項７】
上記複数の認証遠隔操作装置同士が無線で接続されている場合、
上記通知情報を、認証に用いた認証遠隔操作装置から、認証に用いた認証遠隔操作装置を除く認証遠隔操作装置に通知させる通知情報送信指示信号を送信する通知情報送信指示手段を備えていることを特徴とする請求項１〜６のいずれか１項に記載のデータ処理装置。
【請求項８】
上記無線は、無線ＬＡＮ（local area network）、Ｂｌｕｅｔｏｏｔｈ（登録商標）、ＵＷＢ（ultra wideband）、ＺｉｇＢｅｅ（登録商標）、ＷｉＭＡＸ、セルラー方式、赤外線通信のいずれかであることを特徴とする請求項７に記載のデータ処理装置。
【請求項９】
処理するデータは、放送コンテンツ、記録媒体に記録されたコンテンツ、ネットワークからダウンロードされるコンテンツのいずれかであることを特徴とする請求項１〜８のいずれか１項に記載のデータ処理装置。
【請求項１０】
データ処理装置は、電話機、オーディオ機器、パーソナルコンピュータ、テレビジョン受像機、ＨＤＤ（hard disk drive）レコーダ、ＤＶＤ（digital versatile disc）レコーダ、ＨＤ−ＤＶＤ（high definition-DVD）レコーダ、Ｂｌｕ−ｒａｙ（登録商標）レコーダ、またはＶＣＲ（video cassette recorder）のいずれかであることを特徴とする請求項１〜９のいずれか１項に記載のデータ処理装置。
【請求項１１】
通信可能なデータ処理装置において行われるデータ処理に必要な認証を、通信機能を用いて外部の認証装置との間で行う機能、および、上記データ処理装置をリモート操作する機能を有する認証遠隔操作装置であって、
上記データ処理装置から、該データ処理装置が、自装置とは別の認証遠隔操作装置による認証により許可されたデータの処理を行っている旨を示す通知情報を受信する通知情報受信手段と、
上記通知情報受信手段が上記通知情報を受信すると、上記データ処理装置に対す操作を制限する操作制限手段とを備えていることを特徴とする認証遠隔操作装置。
【請求項１２】
無線により通信可能な他の認証遠隔操作装置が存在する場合、
上記データ処理装置から、上記通知情報を上記他の認証遠隔操作装置へ送信することを要求する通知情報送信要求信号を受信する要求信号受信手段と、
上記要求信号受信手段が、通知情報送信要求信号を受信すると、上記通知情報を上記他の認証遠隔操作装置へ送信する通知情報送信手段とを備えていることを特徴とする請求項１１に記載の認証遠隔操作装置。
【請求項１３】
無線により通信可能な他の認証遠隔操作装置が存在する場合、
上記データ処理装置がデータ処理に必要な認証を自装置で行っている旨を示す認証情報を、上記他の認証遠隔操作装置へ送信する認証情報送信手段を備えていることを特徴とする請求項１１に記載の認証遠隔操作装置。
【請求項１４】
上記認証遠隔操作装置は、認証に用いる個体情報を保存したＩＣカードを備えた携帯端末であることを特徴とする請求項１１〜１３のいずれか１項に記載の認証遠隔操作装置。
【請求項１５】
請求項１〜１０のいずれか１項に記載のデータ処理装置と請求項１１〜１４のいずれか１項に記載の認証遠隔操作装置とを含むことを特徴とするデータ処理システム。
【請求項１６】
請求項１〜１０のいずれか１項に記載のデータ処理装置、および請求項１１〜１４のいずれか１項に記載の認証遠隔操作装置の少なくともいずれか一方を動作させる制御プログラムであって、コンピュータを上記の各手段として機能させるための制御プログラム。
【請求項１７】
請求項１６に記載の制御プログラムを記録したコンピュータ読み取り可能な記録媒体。
【請求項１８】
当該データ処理装置において行われるデータ処理に必要な認証を、通信機能を用いて外部の認証装置との間で行う機能、および、当該データ処理装置をリモート操作する機能を有する複数の認証遠隔操作装置と通信可能なデータ処理装置の制御方法であって、
上記複数の認証遠隔操作装置のうち、認証に用いた認証遠隔操作装置から、データ処理に必要な認証が得られたことを示す認証許可情報を受信する認証許可情報受信ステップと、
上記認証許可情報受信ステップで上記認証許可情報を受信すると、上記認証許可情報により許可されたデータの処理を行っている旨を示す通知情報を、上記複数の認証遠隔操作装置に通知する通知情報送信ステップと、を含むことを特徴とするデータ処理装置の制御方法。
【請求項１９】
通信可能なデータ処理装置において行われるデータ処理に必要な認証を、通信機能を用いて外部の認証装置との間で行う機能、および、上記データ処理装置をリモート操作する機能を有する認証遠隔操作装置の制御方法であって、
上記データ処理装置から、該データ処理装置が、自装置とは別の認証遠隔操作装置による認証により許可されたデータの処理を行っている旨を示す通知情報を受信する通知情報受信ステップと、
上記通知情報受信ステップで上記通知情報を受信すると、上記データ処理装置に対す操作を制限する操作制限ステップとを含むことを特徴とする認証遠隔操作装置の制御方法。
【発明の詳細な説明】
【技術分野】
【０００１】
本発明は、データ処理装置で、認証により許可されたデータを処理している旨を、認証遠隔操作装置に通知するデータ処理装置、認証遠隔操作装置、データ処理システム、データ処理装置制御方法、認証遠隔操作装置制御方法、制御プログラムおよび該プログラムを記録したコンピュータ読み取り可能な記録媒体に関する。
【背景技術】
【０００２】
近年の携帯端末の普及はめざましいものがある。そして、携帯端末を利用した金融取引やショッピングなども可能になってきている。また、携帯端末を利用して、外出先から家庭内の映像録画機器の予約録画設定などが可能になる等、携帯端末を利用した遠隔操作も実現されている。
【０００３】
これは、携帯端末が、安全性が高く、利便性および簡易性に優れた暗証番号認証システムを備えているからである。すなわち、携帯端末は、ＵＳＩＭ（universal subscriber identity module、ＩＣカード）を利用した高いユーザー認証とセキュリティレベルが実現されている。
【０００４】
また、携帯端末が、従来の携帯電話網による通信を行う通信部に加えて、無線ＬＡＮ（local area network）、ＢｌｕｅＴｏｏｔｈ、赤外線などによる通信を行う通信部を搭載したハイブリッド端末も存在する。
【０００５】
なお、無線通信は傍受が極めて容易であるため、送信されるパケットを暗号化して傍受者に内容を知られないようにすることが必要である。また、認証にも暗号化技術が使用される。暗号化技術としては、無線ＬＡＮのＷＥＰ(Wired Equivalent Privacy)や３ＧＰＰ（third generation partnership project）がＷＣＤＭＡ（wideband code division multiple access）様の標準暗号化方式とした「ＫＡＳＵＭＩ」、機器認証と暗号鍵交換ＡＫＥ(Authentication and Key Exchange)などがある。そして、これらを他の技術と組み合わせて使用される。さらに、携帯端末の高いセキュリティを利用して、インターネットに接続する技術としてＩＷＬＡＮ（industrial wireless local area network）などがある。
【０００６】
また、パーソナルコンピュータによるインターネット利用もＡＤＳＬ（asymmetric digital subscriber line）やＦＴＴＨ（fiber to the home）等のブロードバンド回線の普及とともに、普及の一途をたどっている。そして、最近の家庭内における機器、特に映像機器においても、ブロードバンド回線に接続されたサービスの提供を受ける事が可能になってきた。
【０００７】
そして、映像機器は、放送番組の受信に限らず、例えば、格納しているコンテンツの視聴、ＣＤ（compact disc）、ＤＶＤ（digital versatile disc）、Ｂｌｕ−ｒａｙ  Ｄｉｓｃ、ＨＤ−ＤＶＤ（high definition-dvd）などのパッケージメディアに記録されたコンテンツの視聴、ケーブルやネットワークを介して配信されたコンテンツの視聴など、様々な方法により取得したコンテンツの視聴が可能である。
【０００８】
このような映像機器によるコンテンツの視聴において、有料コンテンツを視聴する場合、映像機器が備えるネットワークインタフェースを用いて、インターネットを介してユーザー認証や課金が行われている。
【０００９】
そして、特許文献１には、無線通信ネットワークへアクセスするインタフェースと、近距離無線アクセス用のインタフェースとの２つのインタフェースを備えるハイブリッド無線端末が記載されている。このハイブリッド端末は、無線通信ネットワーク内のユーザ認証情報を含む情報を、近距離通信を介してサービス端末に伝送する事によりユーザ認証を行い、認証が正常に終了すると、商取引を行うものである。
【００１０】
また、特許文献２には、ワイヤレス端末から受信した認証データによって、第１の端末とネットワークとの間の通信を可能にするインターフェースデバイスが記載されている。
【００１１】
さらに、引用文献３には、認証動作および暗号化動作の状態を維持するとともに表示する通信装置が記載されている。
【特許文献１】特開２００２−５８０６６号公報（２００２年２月２２日公開）
【特許文献２】特表２００３―５０１９７３号公報（２００３年１月１４日公表）
【特許文献３】特開２００４−２９７８１４号公報（２００４年１０月２１日公開）
【発明の開示】
【発明が解決しようとする課題】
【００１２】
しかしながら、特許文献１、２、３には、認証に用いる携帯端末が複数ある場合については記載されていない。よって、例えば、あるデータ受信装置が受信するデータについて必要な認証を行うために用いることができる携帯端末が複数存在し、当該複数の携帯端末によって上記データ受信装置に対しリモート制御できる場合に生じる以下のような弊害に対し、特許文献１、２、３に記載された発明では、対応することができない。
【００１３】
すなわち、上記複数の携帯端末が、それぞれが独自に上記データ受信装置に対しリモート制御を行うと、データ受信装置の処理能力を超える可能性がある。
【００１４】
よって、データ受信装置が上記複数の携帯端末のうちの１つを用いた認証処理を行っているときや、認証により受信が許可されたデータを受信しているときに、他の携帯端末によりリモート制御が行われることにより、認証処理やデータの受信が中断する可能性がある。
【００１５】
例えば、ユーザＡが、家庭内の映像機器Ｃにおいて、認証が必要なコンテンツを視聴する場合に、携帯端末Ａを用いて認証を行い、コンテンツデータＡをダウンロードしているときに、ユーザＢが、携帯端末Ｂを用いて映像機器Ｃに対しコンテンツデータＢを視聴する処理を指示することにより、コンテンツデータＡのダウンロードが中断したり、停止したりする可能性がある。
【００１６】
本発明は、上記の問題点に鑑みてなされたものであり、その目的は、データ処理装置の処理能力を超えることよる誤動作を防止できるデータ処理装置等を実現することにある。
【課題を解決するための手段】
【００１７】
上記課題を解決するために、本発明に係るデータ処理装置は、当該データ処理装置において行われるデータ処理に必要な認証を、通信機能を用いて外部の認証装置との間で行う機能、および、当該データ処理装置をリモート操作する機能を有する複数の認証遠隔操作装置と通信可能なデータ処理装置であって、上記複数の認証遠隔操作装置のうち、認証に用いた認証遠隔操作装置から、データ処理に必要な認証が得られたことを示す認証許可情報を受信する認証許可情報受信手段と、上記認証許可情報受信手段が上記認証許可情報を受信すると、上記認証許可情報により許可されたデータの処理を行っている旨を示す通知情報を、上記複数の認証遠隔操作装置に通知する通知情報送信手段と、を備えていることを特徴としている。
【００１８】
また、本発明に係るデータ処理装置の制御方法は、当該データ処理装置において行われるデータ処理に必要な認証を、通信機能を用いて外部の認証装置との間で行う機能、および、当該データ処理装置をリモート操作する機能を有する複数の認証遠隔操作装置と通信可能なデータ処理装置の制御方法であって、上記複数の認証遠隔操作装置のうち、認証に用いた認証遠隔操作装置から、データ処理に必要な認証が得られたことを示す認証許可情報を受信する認証許可情報受信ステップと、上記認証許可情報受信ステップで上記認証許可情報を受信すると、上記認証許可情報により許可されたデータの処理を行っている旨を示す通知情報を、上記複数の認証遠隔操作装置に通知する通知情報送信ステップと、を含むことを特徴としている。
【００１９】
上記の構成および方法によれば、認証許可情報を受信すると、該認証許可情報によって許可されたデータの処理を行っている旨が、認証遠隔操作装置に通知される。
【００２０】
これにより、認証に用いられていない認証遠隔操作装置は、他の認証遠隔操作装置によって認証がなされ、データ処理装置でデータ処理がなされていることを認識することができる。よって、例えば、認証に用いられていない認証遠隔操作装置が、データ処理装置が他の認証遠隔操作装置により認証を行いデータ処理を行っていると認識したときは、データ処理装置に対し操作を行わないとすれば、データ処理装置の処理能力を超えることによるデータ処理装置の誤作動を防止することができる。
【００２１】
上記の構成によれば、表示部に認証許可情報および通知情報の内容が表示される。よって、ユーザは、認証許可情報の内容および通知情報の内容を認識することができる。これにより、既に認証処理が行われ、認証許可情報により許可されたデータの処理を行われているも関わらず、ユーザが直接データ処理装置を操作したために、処理を中断、停止させてしまうといった誤作動を防止することができる。
【００２２】
本発明に係るデータ処理装置では、上記通知情報は、当該データ処理装置が、上記認証許可情報により許可されたデータの処理を行っているときに、当該データ処理装置に残存している処理能力を示す残存処理能力情報を含むものであることが好ましい。
【００２３】
上記の構成によれば、認証許可情報を受信すると、該認証許可情報によって許可されたデータの処理を行っている旨とともに、データ処理装置に残存している処理能力を示す残存処理能力情報が、認証に用いた認証遠隔操作装置を除く認証遠隔操作装置に通知される。
【００２４】
これにより、認証に用いられていない認証遠隔操作装置は、他の認証遠隔操作装置によって認証がなされ、データ処理装置でデータ処理がなされていることにより、データ処理装置の残存処理能力がどれだけになっているかを認識することができる。
【００２５】
よって、認証に用いられていない認証遠隔操作装置は、データ処理装置の処理能力を超えない範囲で操作を行うことで、データ処理装置の処理能力を超えることによる誤作動を防止することができる。
【００２６】
本発明に係るデータ処理装置では、上記通知情報送信手段は、上記複数の認証遠隔操作装置のうち、認証に用いた認証遠隔操作装置を除く認証遠隔操作装置から通知情報の通知要求を受けると、該認証遠隔操作装置に通知情報を通知するものであってもよい。
【００２７】
上記の構成によれば、通知情報送信手段は、認証遠隔操作装置から通知情報の通知要求を受けた後に、該認証遠隔装置に通知情報を通知する。
【００２８】
これにより、認証遠隔操作装置は、データ処理装置を操作する場合のみ、データ処理装置が認証によって許可されたデータの処理中であることを認識できる。よって、データ処理装置が通知情報を通知する回数を減らすことができ、データ処理装置の負荷を軽くしつつ、通知情報の送信を行うことができる。
【００２９】
本発明に係るデータ処理装置では、上記通知情報送信手段は、上記複数の認証遠隔操作装置に対して予め設定されている優先順位に従って上記通知情報を順番に通知するものであってもよい。
【００３０】
上記の構成によれば、通知情報送信手段は、予め設定されている優先順位に従って、認証遠隔操作装置に対し、順番に通知情報が通知する。
【００３１】
よって、データ処理装置を操作する可能性が高い認証遠隔操作装置の優先順位を高くしておけば、当該認証遠隔操作装置に対し、より早く通知情報が通知され、通知情報が通知される前に当該認証遠隔操作装置がデータ処理装置を操作することで、データ処理装置が誤動作してしまうことを防止することができる。
【００３２】
本発明に係るデータ処理装置では、上記通知情報送信手段は、無線で接続可能な認証遠隔操作装置に対し、通知情報を通知するものであってもよい。
【００３３】
上述した効果は、データ処理装置と認証遠隔操作装置とが無線で接続されている場合にも奏することができる。
【００３４】
本発明に係るデータ処理装置では、上記複数の認証遠隔操作装置同士が無線で接続されている場合、上記通知情報を、認証に用いた認証遠隔操作装置から、認証に用いた認証遠隔操作装置を除く認証遠隔操作装置に通知させる通知情報送信指示信号を送信する通知情報送信指示手段を備えているものであってもよい。
【００３５】
上記の構成によれば、上記複数の認証遠隔操作装置同士が無線で接続されている場合、通知情報を、認証に用いた認証遠隔操作装置から、認証に用いた認証遠隔操作装置を除く認証遠隔操作装置に通知させる。
【００３６】
これにより、データ処理装置は、認証に用いた認証遠隔操作装置に対してのみ指示を送信するのみで、通知情報が無線で接続されている認証遠隔操作装置に送信される。よって、データ処理装置の負荷を軽くしつつ、認証に用いた認証遠隔操作装置を除く認証遠隔操作装置にデータ処理装置が認証により許可された処理を行っていることを認識させることができる。
【００３７】
上述した効果は、データ処理装置と認証遠隔操作装置とが無線ＬＡＮ、Ｂｌｕｅｔｏｏｔｈ、ＵＷＢ、ＺｉｇＢｅｅ、ＷｉＭＡＸ、セルラー方式、赤外線通信のいずれかで接続されている場合にも奏することができる。
【００３８】
上述した効果は、データ処理装置において、処理するデータが、放送コンテンツ、記録媒体に記録されたコンテンツ、ネットワークからダウンロードされるコンテンツのいずれかであっても奏することができる。
【００３９】
上述した効果は、データ処理装置が、電話機、オーディオ機器、パーソナルコンピュータ、テレビジョン受像機、ＨＤＤレコーダ、ＤＶＤレコーダ、ＨＤ−ＤＶＤレコーダ、Ｂｌｕ−ｒａｙレコーダ、またはＶＣＲのいずれかであっても奏することができる。
【００４０】
上記課題を解決するために、本発明に係る認証遠隔操作装置は、通信可能なデータ処理装置において行われるデータ処理に必要な認証を、通信機能を用いて外部の認証装置との間で行う機能、および、上記データ処理装置をリモート操作する機能を有する認証遠隔操作装置であって、上記データ処理装置から、該データ処理装置が、自装置とは別の認証遠隔操作装置による認証により許可されたデータの処理を行っている旨を示す通知情報を受信する通知情報受信手段と、上記通知情報受信手段が上記通知情報を受信すると、上記データ処理装置に対す操作を制限する操作制限手段とを備えていることを特徴としている。
【００４１】
また、本発明に係る認証遠隔操作装置の制御方法は、通信可能なデータ処理装置において行われるデータ処理に必要な認証を、通信機能を用いて外部の認証装置との間で行う機能、および、上記データ処理装置をリモート操作する機能を有する認証遠隔操作装置の制御方法であって、上記データ処理装置から、該データ処理装置が、自装置とは別の認証遠隔操作装置による認証により許可されたデータの処理を行っている旨を示す通知情報を受信する通知情報受信ステップと、上記通知情報受信ステップで上記通知情報を受信すると、上記データ処理装置に対す操作を制限する操作制限ステップとを含むことを特徴としている。
【００４２】
上記の構成および方法によれば、自装置とは別の認証遠隔操作装置による認証により許可されたデータの処理を行っている旨を示す通知情報を受信すると、データ処理装置に対する操作が制限される。
【００４３】
これにより、データ処理装置が認証により許可されたデータの処理中で、処理能力が残っていないにもかかわらず、認証遠隔操作装置から操作されることにより、データ処理装置の処理能力を超え、データ処理装置が誤動作を起こすということを防止することができる。
【００４４】
本発明に係る認証遠隔操作装置では、無線により通信可能な他の認証遠隔操作装置が存在する場合、上記データ処理装置から、上記通知情報を上記他の認証遠隔操作装置へ送信することを要求する通知情報送信要求信号を受信する要求信号受信手段と、上記要求信号受信手段が、通知情報送信要求信号を受信すると、上記通知情報を上記他の認証遠隔操作装置へ送信する通知情報送信手段とを備えているものであってもよい。
【００４５】
上記の構成によれば、データ処理装置から通知情報送信要求信号を受信した認証遠隔操作装置は、無線で通信可能な他の認証遠隔操作装置に対し、通知情報を送信する。
【００４６】
これにより、認証遠隔操作装置は、直接、データ処理装置から通知情報を通知されなくても、データ処理装置から通知情報送信要求信号を受信した認証遠隔操作装置から通知情報を受信できる。
【００４７】
本発明に係る認証遠隔操作装置では、無線により通信可能な他の認証遠隔操作装置が存在する場合、上記データ処理装置がデータ処理に必要な認証を自装置で行っている旨を示す認証情報を、上記他の認証遠隔操作装置へ送信する認証情報送信手段を備えているものであってもよい。
【００４８】
上記の構成によれば、自装置で行っている認証が、認証を行っていない他の認証遠隔操作装置に送信される。
【００４９】
これにより、認証を行っていない認証遠隔操作装置は、直接データ処理装置から通知情報を受信しなくても、認証が行われていることを認識することができる。
【００５０】
上述した効果は、認証遠隔操作装置が認証に用いる個体情報を保存したＩＣカードを備えた携帯端末であっても奏することができる。
【００５１】
上述した効果は、上記データ処理装置と上記認証遠隔操作装置とを含むデータ処理システムであっても奏することができる。
【００５２】
なお、上記データ処理装置、および上記認証遠隔操作装置は、コンピュータによって実現してもよく、この場合には、コンピュータを上記各手段として動作させることにより上記データ処理装置、および上記認証遠隔操作装置をコンピュータにて実現させる上記データ処理装置、および上記認証遠隔操作装置の制御プログラム、およびそれを記録したコンピュータ読み取り可能な記録媒体も、本発明の範疇に入る。
【発明の効果】
【００５３】
以上のように、本発明に係るデータ処理装置は、複数の認証遠隔操作装置のうち、認証に用いた認証遠隔操作装置から、データ処理に必要な認証が得られたことを示す認証許可情報を受信する認証許可情報受信手段と、上記認証許可情報受信手段が上記認証許可情報を受信すると、上記認証許可情報により許可されたデータの処理を行っている旨を示す通知情報を、上記複数の認証遠隔操作装置に通知する通知情報送信手段と、を備えている構成である。
【００５４】
また、本発明に係るデータ処理装置の制御方法は、複数の認証遠隔操作装置のうち、認証に用いた認証遠隔操作装置から、データ処理に必要な認証が得られたことを示す認証許可情報を受信する認証許可情報受信ステップと、上記認証許可情報受信ステップで上記認証許可情報を受信すると、上記認証許可情報により許可されたデータの処理を行っている旨を示す通知情報を、上記複数の認証遠隔操作装置に通知する通知情報送信ステップと、を含む方法である。
【００５５】
これにより、認証に用いられていない認証遠隔操作装置は、他の認証遠隔操作装置によって認証がなされ、データ処理装置でデータ処理がなされていることを認識することができる。よって、例えば、認証に用いられていない認証遠隔操作装置が、データ処理装置が他の認証遠隔操作装置により認証を行いデータ処理を行っていると認識したときは、データ処理装置に対し操作を行わないとすれば、データ処理装置の処理能力を超えることによるデータ処理装置の誤作動を防止することができる。
【００５６】
また、本発明に係る認証遠隔操作装置は、上記データ処理装置から、該データ処理装置が、自装置とは別の認証遠隔操作装置による認証により許可されたデータの処理を行っている旨を示す通知情報を受信する通知情報受信手段と、上記通知情報受信手段が上記通知情報を受信すると、上記データ処理装置に対す操作を制限する操作制限手段とを備えている構成である。
【００５７】
また、本発明に係る認証遠隔操作装置の制御方法は、上記データ処理装置から、該データ処理装置が、自装置とは別の認証遠隔操作装置による認証により許可されたデータの処理を行っている旨を示す通知情報を受信する通知情報受信ステップと、上記通知情報受信ステップで上記通知情報を受信すると、上記データ処理装置に対す操作を制限する操作制限ステップとを含む方法である。
【００５８】
これにより、データ処理装置が認証により許可されたデータの処理中で、処理能力が残っていないにもかかわらず、認証遠隔操作装置から操作されることにより、データ処理装置の処理能力を超え、データ処理装置が誤動作を起こすということを防止することができる。
【発明を実施するための最良の形態】
【００５９】
〔実施の形態１〕
本発明の一実施の形態について図１から図１２に基づいて説明すれば、以下のとおりである。
【００６０】
図１は、本実施の形態に係る映像装置（データ処理装置）１００のブロック図である。また、図２には、本実施の形態に係る携帯端末（認証遠隔操作装置）２００のブロック図である。また、図３は、本実施の形態に係る映像装置１００と携帯端末２００とを含むデータ受信システム（データ処理システム）３００を示す説明図である。
【００６１】
図３に示すように、データ受信システム３００では、映像装置１００で受信するデータに認証が必要な場合、携帯端末２００（２００Ａ、２００Ｂ）を用いて認証を行うことができる。また、携帯端末２００（２００Ａ、２００Ｂ）は、映像装置１００をリモート制御することが可能である。
【００６２】
（映像装置１００の構成）
図１に示すように、映像装置１００は、ユーザインタフェース部１０１、認証要否判断部１０２、アンテナ１０３、１１２、１１４、無線部１０４、操作信号受信部１０５、データ情報送信部１０６、認証信号送受信部（認証許可情報受信手段、通知情報送信手段）１０７、処理能力情報送信部（通知情報送信手段）１０８、シリアル通信端子１０９、シリアル通信インタフェース１１０、表示部１１１、チューナ１１３、１１５、データ処理部１１６、映像処理部１１７、音声処理部１１８、記憶部１１９、主制御部１２０、ＬＡＮ（local area network）インタフェース部１２１、ＬＡＮ端子１２２、ＡＶ（audio-visual）インタフェース部１２３、ＡＶ端子１２４、認証・暗号化・コピープロテクション制御部１２５、Ｂ−ＣＡＳ（B-conditional access system）１２６、ＨＤＤ（hard disk drive）ドライブ制御部１２７、ＨＤＤドライブ１２８、ＤＶＤ（digital versatile disk）ドライブ制御部１２９、ＤＶＤドライブ１３０、および電源部１３１を含む構成である。
【００６３】
そして、映像装置１００は、複数の放送波の受信が可能であり、受信したコンテンツの視聴や録画が可能である。また、ネットワークからのコンテンツデータのダウンロード、ＤＶＤなどのパッケージメディアコンテンツの視聴、書き込み型ＤＶＤメディアへのコンテンツデータの書き込み等が可能である。
【００６４】
ユーザインタフェース部１０１は、映像装置１００に対するユーザからの指示を受け付ける。そして、受け付けた内容を示すデータを主制御部１２０へ送信する。このユーザインタフェース部１０１としては、フロントパネルの操作スイッチや、リモコン等が挙げられる。
【００６５】
例えば、ユーザインタフェース部１０１は、受信しているコンテンツをＨＤＤドライブ１２８に録画する指示を受け付けると、受け付けた内容を示すデータを主制御部１２０へ送信する。そして、主制御部１２０は、アンテナ１１２から受信したコンテンツデータをＨＤＤドライブ制御部１２７に送信する。そして、ＨＤＤドライブ制御部１２７は受信したコンテンツデータをＨＤＤドライブ１２８に書き込む。
【００６６】
また、ユーザインタフェース部１０１は、受信しているコンテンツをＤＶＤドライブ１３０にセットされている書き込み型ＤＶＤメディア（記録メディア）に対する書き込み指示を受け付けた場合、受け付けた内容を示すデータを主制御部１２０へ送信する。そして、主制御部１２０は、アンテナ１１２から受信したコンテンツデータをＤＶＤドライブ制御部１２９へ送信する。そして、ＤＶＤドライブ制御部１２９は受信したコンテンツデータをＤＶＤドライブ３１５を制御して、書き込み型ＤＶＤメディアに書き込む。
【００６７】
認証要否判断部１０２は、映像装置１００で受信するデータが、認証が必要なデータであるか否かを判断する。これは、例えば、対象となるデータがＬＡＮインタフェース部１２１を介して受信するデータで、当該データを送信しているサーバからの認証が必要な旨の通知によって判断する。なお、記憶部１１９に、データを認証の要否を対応づけたテーブルを記憶し、当該テーブルを参照して判断するものであってもよい。
【００６８】
アンテナ１０３は、映像装置１００と携帯端末２００との間を無線により通信可能とするためのアンテナである。この無線通信としては、無線ＬＡＮ、ＢｌｕｅＴｏｏｔｈ、赤外線、ＷｉＭＡＸ（worldwide interoperability for microwave access）、ＺｉｇＢｅｅなどが考えられる。
【００６９】
無線部１０４は、データ情報送信部１０６、認証信号送受信部１０７、処理能力情報送信部１０８から受信したデータをアンテナ１０３を介して携帯端末２００へ送信する。またアンテナ１０３を介して携帯端末２００から受信したデータを操作信号受信部１０５、認証信号送受信部１０７へ送信する。
【００７０】
操作信号受信部１０５は、無線部１０４を介して操作信号を受信し、操作の内容を示すデータを主制御部１２０へ送信する。
【００７１】
例えば、携帯端末２００により映像装置１００のリモート制御を行った場合、操作信号受信部１０５は、携帯端末２００にからの操作信号を無線部１０４を介して受信する。
【００７２】
データ情報送信部１０６は、主制御部１２０から受信した、映像装置１００において再生可能なコンテンツデータを示す情報を無線部１０４を介して携帯端末２００へ送信する。
【００７３】
認証信号送受信部１０７は、映像装置１００が受信するデータが認証が必要なものである場合、携帯端末２００に対して認証処理を行うように要求する認証要求信号を送信する。また、認証信号送受信部１０７は、携帯端末２００が認証装置から受信した認証許可情報を携帯端末２００から受信する。
【００７４】
処理能力情報送信部１０８は、映像装置１００の残存処理能力を示すデータを無線部１０４を介して携帯端末２００へ送信する。
【００７５】
なお、残存処理能力とは、その時点で残存している処理能力をいう。そして、処理能力とは、映像装置１００が、有している通信能力やコンテンツデータ処理能力をいう。例えば、映像装置１００がＨＤＤレコーダである場合、チューナ(アナログチューナ、地上／ＢＳ／ＣＳデジタルチューナ等)の数や、ＭＰＥＧ２エンコーダーの数になる。なお、現在市販されているレコーダでは、アナログ放送とデジタル放送との同時録画、地上デジタルとＢＳあるいはＣＳデジタル放送との同時録画が可能な処理能力を有している。
【００７６】
また、通信を行う場合は、通信ポートのチャンネル数や速度によって、通信能力が変わる。さらに、システム全般的には、ＣＰＵ（central processing unit）やＤＳＰ（digital signal processor）の演算能力によって、処理能力が変わる。
【００７７】
シリアル通信端子１０９は、映像装置１００と携帯端末２００とをシリアル通信するための端子である。
【００７８】
シリアル通信インタフェース１１０は、シリアル通信端子１０９を介して携帯端末２００に無線部１０４と同内容のデータを送信する。
【００７９】
これにより、映像装置１００と携帯端末２００との通信は、無線部１０４を介した無線通信のみでなくシリアル通信インタフェース１１０を介した有線通信も可能となる。なお、映像装置１００と携帯端末２００との通信は、無線通信の代わりにシリアル通信のみを行うものであってもよい。
【００８０】
表示部１１１は、映像装置１００の動作状態や、携帯端末２００を用いた認証の状態を表示する。この表示部１１１の例としては、蛍光表示管、ＬＣＤ（liquid crystal display）などの文字図形が表示可能なデバイスや、ＬＥＤ（light emitting diode）などの発光デバイスが挙げられる。
【００８１】
また、表示部１１１は、携帯端末２００を用いて認証およびそれに伴う処理を行っていることを表示する。そして、携帯端末２００が複数存在する場合は、複数の携帯端末２００のうち、どの携帯端末２００を用いてそれぞれを認識できる表示を行う。例えば、複数個のＬＥＤを備え、当該ＬＥＤの１個点灯、２個点灯、点滅パターンの可変等により個々の携帯端末２００を認識できる表示を行う。
【００８２】
アンテナ１１２、１１４は、放送電波を受信し、チューナ１１３、１１５に送信する。そして、チューナ１１３、１１５は、受信した放送電波からチャンネル選択を行う。そして選択したチャンネルを受信データとしてデータ処理部１１６へ送信する。
【００８３】
これにより、映像装置１００は、アンテナ１１２およびチューナ１１３から構成される第１のコンテンツ取得部と、アンテナ１１４およびチューナ１１５から構成される第２のコンテンツ取得部を備え、２つの放送電波を受信することが可能である。
【００８４】
そして、第１のコンテンツ取得部と第２のコンテンツ取得部とは同時に動作が可能である。また、ＨＤＤドライブ１２８へ同時書き込みや、ＨＤＤドライブ１２８とＤＶＤドライブ１３０への選択同時書き込みも可能である。
【００８５】
データ処理部１１６は、受信したデータを映像データと音声データとに分離する。そして映像データは、映像処理部１１７に、音声データは音声処理部１１８に送信する。
【００８６】
映像処理部１１７は、受信した映像データを映像装置１００で再生できるデータに処理し主制御部１２０へ送信する。また、音声処理部１１８は受信した音声データを映像装置１００で再生できるデータに処理し主制御部１２０へ送信する。
【００８７】
記憶部１１９は、映像装置１００を制御するためのプログラム、映像装置１００が受信したデータおよびそれに付随する情報を記憶している。記憶部１１９の例としては、例えばフラッシュメモリが挙げられる。
【００８８】
主制御部１２０は、映像装置１００全般の制御を行うものである。主制御部１２０のプログラムは記憶部１１９に記憶されている。
【００８９】
ＬＡＮインタフェース部１２１は、ＬＡＮ端子１２２を介して接続されているＬＡＮとデータの送受信を行う。例えば、ＬＡＮインタフェース部１２１はＬＡＮ端子１２２を介してインターネットと接続し、コンテンツサービスを提供しているサーバからコンテンツデータのダウンロード、ビデオオンデマンド方式によるデータを受信を行うことができる。
【００９０】
また、映像装置１００では、ＬＡＮインタフェース部１２１から受信したコンテンツデータをＨＤＤドライブ１２８に対する書き込みや、ＤＶＤドライブ１３０にセットされている記録メディアに書き込むことも可能である。
【００９１】
なお、上記第１のコンテンツ取得部と第２のコンテンツ取得部とによる処理と、ＬＡＮインタフェース部１２１によるコンテンツデータの受信は、映像装置１００の処理能力に応じて、同時に処理することが可能である。
【００９２】
ＡＶインタフェース部１２３は、ＡＶ端子１２４を介して、映像データ、音声データの送受信を行う。そして、例えば、ＡＶ端子１２４を介してテレビ等の表示装置と接続されていれば、送信された映像データが表示され、音声データが再生される。なお、ＡＶ端子１２４を介して送受信されるデータは、ＨＤＭＩ（high definition multimedia interface）などのデジタル信号でもビデオ信号のようなアナログ信号でもよい。
【００９３】
認証・暗号化・コピープロテクション制御部１２５は、映像装置１００で受信、再生するデータの認証、暗号化、コピープロテクションの制御を行う。
【００９４】
例えば、映像装置１００で受信するコンテンツデータが、受信を行うのに認証が必要なデータと認証要否判断部１０２が判断した場合、認証・暗号化・コピープロテクション制御部１２５は、当該データを受信するための認証処理を携帯端末２００に行なわせるための信号送信するよう主制御部１２０を介して認証信号送受信部１０７に指示する。
【００９５】
また、受信したコンテンツデータに、著作権保護のためのコピープロテクトがかかっている場合、このコピープロテクトの解除や変更等の処理を行う。さらに、認証・暗号化・コピープロテクション制御部１２５は、映像信号、音声信号に、認証・暗号化・コピープロテクションに関わる情報を重畳することが可能である。
【００９６】
ここで、コピープロテクトの一例について説明する。日本国内のＢＳ放送および地上デジタルテレビ放送では、すべて「コピーワンス」というコピーコントロールが採用されている。これは、一度デジタル放送を録画すると、そこからはデジタル接続でのダビングができない。このデジタル接続で使用されている方式が「ｉＬｉｎｋ（登録商標）」で、それにはｉＬｉｎｋ用のＤＴＣＰ（digital transmission content protection）の補則が適用されている。 
【００９７】
ＤＴＣＰを構成する主な要素技術は、（１）機器認証とキー交換（Authentication and Key Exchange、ＡＫＥ）、（２）コンテンツの暗号化、（３）コピーコントロール情報（Copy Control Information、ＣＣＩ）、（４）システム更新メッセージ（System Renewability Messages、ＳＲＭｓ）の４つである。ＤＴＣＰの場合、コンテンツの送信側をソース機器（Source Device）、受信側をシンク機器（Sink Device）と呼ぶ。ＡＫＥには「完全認証」と「制限認証」の２つの方式が定められており、対応しない機器では認証ができない。
【００９８】
そして、コンテンツ配信に至るまでのＤＴＣＰ処理の流れを以下に示す。まず、ＥＭＩ(Encryption Mode Indicator)情報付きのコンテンツストリームを受信する（ステップ１）。次に、ＥＭＩ情報に基づいて、対応する認証方式をリクエストする（ステップ２）。そして、認証済の場合は、認証、暗号鍵の交換を行う（ステップ３）。最後に、コンテンツが配信される（ステップ４）。
【００９９】
なお、コピーコントロール情報は、ＥＭＩと呼ばれる２ビットのデータとして、パケットのヘッダーに含まれている。そして、ＥＭＩには4種類ある。
【０１００】
また、「コピーワンス」というコピーコントロールが採用されているコンテンツは、一度デジタルコピーされると、コピーコントロール情報が「Copy one generation」から「No more copies」に変更され、それ以上のデジタルコピーができなくなる。
【０１０１】
映像装置１００では、認証・暗号化・コピープロテクション制御部１２５により、上述したＤＴＣＰへの対応も可能である。
【０１０２】
また、認証・暗号化・コピープロテクション制御部１２５は上述した制御だけでなく、書き込み可能なパッケージメディア(ＤＶＤ−Ｒ/ＲＷ、ＢＤ、ＨＤ-ＤＶＤ等)への書き込み制限、書き込み回数制限、コピー制限などのマネージドコピー制御、視聴制限を解除する鍵の提供など、様々なサービスに対応した制御が可能である。
【０１０３】
Ｂ−ＣＡＳ１２６は、デジタル放送において、映像装置１００を認証するためのものである。
【０１０４】
ＨＤＤドライブ制御部１２７は、ＨＤＤドライブ１２８を制御する。具体的には、ＨＤＤドライブ１２８にコンテンツデータを書き込み、ＨＤＤドライブ１２８に書き込まれているコンテンツデータを読み出す。
【０１０５】
ＤＶＤドライブ制御部１２９は、ＤＶＤドライブ１３０を制御する。具体的には、ＤＶＤドライブ１３０に対し、ＤＶＤドライブ１３０にセットされている記録メディアにコンテンツデータを書き込ませ、記録メディアに書き込まれているコンテンツデータを読み出させる。
【０１０６】
そして、ＨＤＤドライブ制御部１２７またはＤＶＤドライブ制御部１２９により、映像装置１００では、ＨＤＤドライブ１２８に書き込まれたコンテンツデータやＤＶＤドライブ１３０にセットされた記録メディアに書き込まれたコンテンツデータを読み出し、再生することも可能である。
【０１０７】
電源部１３１は、映像装置１００の各ブロックに電源を供給する。
【０１０８】
（携帯端末２００の構成）
次に、図２に示すように、携帯端末２００は、３Ｇ（３rd generation）アンテナ２０１、３Ｇ―ＲＦ（radio frequency）部２０２、３Ｇアナログベースバンド部２０３、３Ｇデジタルベースバンド部２０４、３Ｇ通信処理部２０５、ＷＬＡＮ（wireless LAN）アンテナ２０６、ＷＬＡＮ―ＲＦ部２０７、ＷＬＡＮアナログベースバンド部２０８、ＷＬＡＮデジタルベースバンド部２０９、ＷＬＡＮ通信処理部２１０、シリアル通信端子２１１、シリアル通信インタフェース部２１２、シリアル通信処理部２１３、映像装置処理部（通知情報受信手段、操作制限手段）２１４、ユーザインタフェース部２１５、記憶部２１６、主制御部２１７、暗号化・認証処理部２１８、ＵＳＩＭ２１９、表示インタフェース部２２０、表示部２２１、音声処理部２２２、スピーカ２２３、レシーバ２２４、報知部２２５、および電源部２２６を含む構成である。
【０１０９】
携帯端末２００は、携帯電話網との通信機能に加え、無線ＬＡＮ通信機能を備えたハイブリッド端末である。
【０１１０】
３Ｇアンテナ２０１は、携帯電話通信網の基地局の無線電波を受信し、３Ｇ―ＲＦ部２０２へ送信する。また、３Ｇ―ＲＦ部２０２から受信した信号を送信電波として放射する。
【０１１１】
３Ｇ―ＲＦ部２０２は、３Ｇアンテナ２０１から送信された携帯電話通信網の基地局の無線電波に対し、周波数帯域制限と低雑音増幅を行い、受信ＲＦ信号として３Ｇアナログベースバンド部２０３へ送信する。また、３Ｇ―ＲＦ部２０２は、３Ｇアナログベースバンド部２０３から受信した信号を電力増幅し、３Ｇアンテナ２０１へ送信する。
【０１１２】
３Ｇアナログベースバンド部２０３は、３Ｇ―ＲＦ部２０２から受信した受信ＲＦ信号に対し、ダイレクトコンバージョンを行い、受信ベースバンド信号に変換する。そして変換した受信ベースバンド信号を３Ｇデジタルベースバンド部２０４へ送信する。また、３Ｇアナログベースバンド部２０３は、３Ｇデジタルベースバンド部２０４から受信した信号に対し、ダイレクトコンバージョンを行い、送信ＲＦ信号に変換する。そして変換した送信ＲＦ信号を、３Ｇ―ＲＦ部２０２へ送信する。
【０１１３】
３Ｇデジタルベースバンド部２０４は、３Ｇアナログベースバンド部２０３から受信した受信ベースバンド信号をデジタル復調し、３Ｇ通信処理部２０５へ送信する。また、３Ｇデジタルベースバンド部２０４は、３Ｇ通信処理部２０５から受信した送信デジタル信号に対しデジタル変調を行い、３Ｇアナログベースバンド部２０３へ送信する。
【０１１４】
３Ｇ通信処理部２０５は、３Ｇデジタルベースバンド部２０４から受信した信号に対し、パケットフレーム操作や通信制御を行い、主制御部２１７へ送信する。また、３Ｇ通信処理部２０５は、主制御部２１７から受信した送信データに対し、パケットフレーム操作を行い送信デジタル信号として３Ｇデジタルベースバンド部２０４に送信する。
【０１１５】
ＷＬＡＮアンテナ２０６は、ＷＬＡＮの無線電波を受信し、ＷＬＡＮ―ＲＦ部２０７へ送信する。また、ＷＬＡＮアンテナ２０６は、ＷＬＡＮ―ＲＦ部２０７から受信した送信ＲＦ信号を送信電波として放射する。
【０１１６】
ＷＬＡＮ―ＲＦ部２０７は、ＷＬＡＮアンテナ２０６で受信したＷＬＡＮの無線電波に対し、周波数帯域制限と低雑音増幅を行い、受信ＲＦ信号としてＷＬＡＮアナログベースバンド部２０８へ送信する。また、ＷＬＡＮ―ＲＦ部２０７は、ＷＬＡＮアナログベースバンド部２０８から受信した送信ＲＦ信号を電力増幅し、ＷＬＡＮアンテナ２０６へ送信する。
【０１１７】
ＷＬＡＮアナログベースバンド部２０８は、ＷＬＡＮ―ＲＦ部２０７から受信した受信ＲＦ信号に対し、ダイレクトコンバージョンを行い、受信ベースバンド信号に変換する。そして、変換した受信ベースバンド信号を、ＷＬＡＮデジタルベースバンド部２０９へ送信する。また、ＷＬＡＮアナログベースバンド部２０８は、ＷＬＡＮデジタルベースバンド部２０９から受信した送信デジタル信号に対し、ダイレクトコンバージョンを行い、送信ＲＦ信号に変換する。そして変換した送信ＲＦ信号をＷＬＡＮ―ＲＦ部２０７へ送信する。
【０１１８】
ＷＬＡＮデジタルベースバンド部２０９は、ＷＬＡＮアナログベースバンド部２０８から受信した受信ベースバンド信号をデジタル復調し、ＷＬＡＮ通信処理部２１０へ送信する。また、ＷＬＡＮデジタルベースバンド部２０９は、ＷＬＡＮ通信処理部２１０から受信した送信デジタル信号に対し、デジタル変調を行い、ＷＬＡＮアナログベースバンド部２０８へ送信する。
【０１１９】
ＷＬＡＮ通信処理部２１０は、ＷＬＡＮデジタルベースバンド部２０９から受信した信号に対し、パケットフレーム操作や通信制御を行い、主制御部２１７へ送信する。また、ＷＬＡＮ通信処理部２１０は、主制御部２１７から受信した送信データに対しパケットフレーム操作を行い、送信デジタル信号としてＷＬＡＮアナログベースバンド部２０８へ送信する。
【０１２０】
シリアル通信端子２１１は、他のシリアル通信可能な装置とシリアル通信を行うための端子である。そして、シリアル通信端子２１１は、受信したデータをシリアル通信インタフェース部２１２に送信し、シリアル通信インタフェース部２１２から受信したデータを、携帯端末２００とシリアル通信を行っている外部の装置に送信する。
【０１２１】
シリアル通信インタフェース部２１２は、携帯端末２００とシリアル通信を行っている外部の装置からデータを受信するため、および当該外部の装置へデータを送信するためのインタフェースである。
【０１２２】
映像装置処理部２１４は、ユーザインタフェース部２１５によりユーザから受け付けた映像装置１００への指示を処理し、ＷＬＡＮアンテナ２０６またはシリアル通信端子２１１から指示の内容を示すデータを送信させる。また、映像装置処理部２１４は、ＷＬＡＮアンテナ２０６またはシリアル通信端子２１１を介して受信した、映像装置１００からの指示データを処理する。
【０１２３】
ユーザインタフェース部２１５は、ユーザからの指示を受け付け、受け付けた内容を示すデータを主制御部２１７へ送信する。ユーザインタフェース部２１５は、例えばテンキーや矢印キーで構成され、電話番号や電子メールなどを含む、文字情報を入力することが可能である。
【０１２４】
記憶部２１６は、携帯端末２００を動作させるプログラム、各種設定値、ユーザデータ、およびコンテンツデータ等を記憶している。記憶部２１６は、１つである必要はなく、用途に応じて複数設け、そのうちのいくつかは着脱可能であってもよい。この記憶部２１６の例としては、フラッシュメモリやＳＤＲＡＭ（synchronous dynamic random access memory）が挙げられる。
【０１２５】
主制御部２１７は、携帯端末２００全般の処理を行う。この処理を行うためのプログラムは記憶部２１６に記憶されている。
【０１２６】
暗号化・認証処理部２１８は、携帯端末２００において送受信するデータに対し、ＵＳＩＭ２１９を使用した、認証や暗号化を行う。
【０１２７】
ＵＳＩＭ２１９は、加入者識別モジュールであり、ユーザの電話番号や契約している携帯電話事業者の情報（固体認識情報）などが記録されており、ＥＥＰＲＯＭ（electrically erasable and programmable read-only memory）やＣＰＵ（central processing unit）が組み込まれているＩＣカードである。ＵＳＩＭカードを携帯端末２００に装着することで、携帯端末２００の電話番号が、ＵＳＩＭカード内に記録されている電話番号となり、他の携帯端末との通信が可能になる。
【０１２８】
表示インタフェース部２２０は、携帯端末２００の表示部２２１を接続しているインタフェースである。また、表示インタフェース部２２０は外部のテレビに接続し、テレビ信号を送信するものであってもよい。
【０１２９】
表示部２２１は、携帯端末２００における文字画像情報を表示する。また、表示部２２１では、例えば、携帯端末２００が受信した映像装置１００が他の携帯端末２００を用いて認証およびそれに伴う処理を行っている旨等を表示することができる。この表示部２２１としては、文字画像情報を表示できる表示デバイスであればなんでもよいが、例えば、ＬＣＤ（liquid crystal display）やＥＬ（electro luminescence）ディスプレイが挙げられる。また、表示部２２１は文字画像情報を表示するだけでなく、タッチパネル式のユーザインタフェースとして機能するものであってもよい。
【０１３０】
音声処理部２２２は、スピーカ２２３およびレシーバ２２４と接続され、受信した音声信号を増幅しスピーカ２２３を駆動させる。また、音声処理部２２２は、レシーバ２２４を介して受信した音声を電気信号に変換しデジタル符号化を行い、パケット化して、主制御部２１７へ送信する。
【０１３１】
報知部２２５は、ユーザに対し携帯端末２００の状態やイベントの発生を報知するものである。この報知部２２５としては、ＬＥＤやリンガーが挙げられる。
【０１３２】
電源部２２６は、バッテリーと制御部で構成され、携帯端末２００全体の電源供給を行う。
【０１３３】
なお、携帯端末２００は、携帯電話網との通信と、無線ＬＡＮ通信とが可能なハイブリッド端末であるが、無線ＬＡＮ通信は、これに限られず、例えば、ＢｌｕｅＴｏｏｔｈ、赤外線、ＷｉＭＡＸなどであってもよい。
【０１３４】
ここで、携帯端末２００が、内蔵されるＵＳＩＭ２１９を用いて携帯電話網に接続し、通信事業者が提供するサービスへ接続したり、通常の音声・データ通信を行う手順を説明する。
【０１３５】
携帯端末２００は、近くにある基地局と無線アクセスを行い、コアネットワークと通信する事で、位置登録や加入者識別認証を行う。ここで、ＵＳＩＭ２１９の個体情報と暗号情報を使用する。これにより、携帯電話網における認証は強固なものになる。そして、認証が終了すると、携帯端末２００は携帯電話網に対して音声・データ通信が可能になる。また、必要であれば、サービスのユーザ認証が行われる。
【０１３６】
（データ受信システム３００の構成）
次に、図３に示すように、データ受信システム３００は映像装置１００と２つの携帯端末２００Ａおよび２００Ｂとで構成されるシステムである。携帯端末２００Ａおよび携帯端末２００Ｂは、携帯端末２００と同じ構成を有し、ＵＳＩＭ２１９に保存されている固体認識情報が異なるものである。ここでは、携帯端末２００Ａに備えられているＵＳＩＭ２１９をＵＳＩＭ２１９Ａ、携帯端末２００Ｂに備えられているＵＳＩＭ２１９をＵＳＩＭ２１９Ｂとする。なお、ここでは、携帯端末２００は２つの場合を示すが、これに限られるものではなく、携帯端末２００の台数に特に制限はない。
【０１３７】
映像装置１００は、インターネット３０１と接続しているとともに、無線通信（近接無線通信）により、携帯端末２００Ａおよび２００Ｂと通信可能である。また、携帯端末２００Ａおよび２００Ｂは、携帯電話網（３ＧＰＰネットワーク）３０２の基地局（図示せず）と無線通信を行うことで携帯電話網３０２に接続している。
【０１３８】
また、携帯電話網３０２とインターネット３０１とも相互に接続されている。
【０１３９】
そして、本実施の形態では、インターネット３０１で実施されているサービスＡ（ここでは、コンテンツＡのダウンロードとする）を映像装置１００で実施する場合に必要な認証を携帯端末２００Ａを用いて行う。そして、映像装置１００は、携帯端末２００Ａを用いて認証およびそれに伴うダウンロードを行っていることにより下がった処理能力を携帯端末２００Ｂに通知する。なお、詳しい処理の流れについては後述する。
【０１４０】
（携帯端末２００を映像装置１００に登録する処理の流れ）
次に、図４および５を用いて、映像装置１００に携帯端末２００を登録する処理の流れを説明する。図４は、映像装置１００が、携帯端末２００を登録する処理の流れを示すフローチャートである。また、図５は、携帯端末２００が、携帯端末２００を映像装置１００に登録させる処理の流れを示すフローチャートである。
【０１４１】
本実施の形態では、映像装置１００が、認証が必要なサービスを利用する前に、認証に用いることができる携帯端末２００を映像装置１００に登録する。
【０１４２】
なお、サービスとは、インターネットに接続されたコンテンツサーバ、ユーザ認証サーバとプログラムとで構成されたシステムの総称である。具体的には、ＶＯＤ（Video on Demand）、映像・音声データのダウンロード、ＤＶＤイメージデータのダウンロード、プログラムやゲームコンテンツのダウンロード、音楽データ、ジャケット写真などのコンテンツのダウンロードが挙げられる。また、これらのダウンロードに伴い課金されるものであってもよい。
【０１４３】
はじめに、映像装置１００が、映像装置１００に携帯端末２００を登録する処理の流れを説明する。
【０１４４】
前提として、携帯端末２００が契約しているサービスをサービスＡとする。ここで、契約には、携帯端末２００が備えるＵＳＩＭに保存されている固体認識情報を使用して、サービスＡに対する認証、課金、決裁処理を含む。
【０１４５】
まず、ユーザインタフェース部１０１において、携帯端末２００の登録に必要な情報を手入力で行うか否かを受け付ける（Ｓ４０１）。
【０１４６】
手入力する場合、ユーザインタフェース部１０１で、携帯端末２００の情報の入力を受け付ける（Ｓ４０２）。そして、他にも登録する携帯端末２００があれば（Ｓ４０３でＹＥＳ）、ユーザインタフェース部１０１で携帯端末２００の登録を受け付ける。一方、登録する携帯端末２００がなければ（Ｓ４０３でＮＯ）、認証装置登録部１３２は、登録された携帯端末２００が複数か否かを判断し（Ｓ４０８）、登録された携帯端末２００が複数であれば（Ｓ４０８でＹＥＳ）、携帯端末２００の中で認証に用いる優先順位を決定する（Ｓ４０９）。
【０１４７】
この、優先順位の決定は、携帯端末２００が契約しているサービスに基づいて行ったり、登録された順番で行うことが考えられる。
【０１４８】
そして、登録の処理を終了する。また、登録された携帯端末２００が複数でなければ（Ｓ４０８でＮＯ）、そのまま登録の処理を終了する。
【０１４９】
一方、手入力しない場合、認証装置登録部１３２は、無線部１０４を介して接続可能な携帯端末２００を探索する（Ｓ４０４）。なお、この携帯端末２００の探索は、ＷＬＡＮにおける従来の方法を用いて行う。また、ＷＬＡＮに限らず、ＢｌｕｅＴｏｏｔｈによる従来の方法を用いるものであってもよい。
【０１５０】
そして、認証装置登録部１３２は、接続可能な携帯端末２００を発見すると、映像装置１００と当該携帯端末２００と接続させる（Ｓ４０５）。次に、認証装置登録部１３２は、接続した携帯端末２００のＵＳＩＭ２１９に保存されている固体認識情報、および携帯端末２００が契約しているサービスＡの情報を、無線部１０４を介して取得し、記憶部１１９に記憶させる（Ｓ４０６）。
【０１５１】
その後、認証装置登録部１３２は、他に接続可能な携帯端末２００があるか探索し（Ｓ４０７）、他に接続可能な携帯端末２００が存在すれば（Ｓ４０７でＹＥＳ）、当該携帯端末２００と接続する（Ｓ４０５）。一方、他に接続可能な携帯端末２００が存在しなければ（Ｓ４０７でＮＯ）、Ｓ４０８へ進み、それ以降は上述した処理の流れと同じとなる。
【０１５２】
なお、映像装置１００に携帯端末２００を登録後、携帯端末２００は、携帯電話網３０２を介してサービスＡと通信を行ってもよい。また、このときに、映像装置１００は、ＬＡＮインタフェース部１２１を介してサービスＡと通信し、サービスＡの認証を確認してもよい。さらに、映像装置１００、携帯端末２００、およびサービスＡの間で、認証の確認を行ってもよい。
【０１５３】
次に、携帯端末２００が、携帯端末２００を映像装置１００に登録する処理の流れを説明する。
【０１５４】
まず、ユーザインタフェース部２１５は、映像装置１００へ携帯端末２００を登録する指示を受け付ける（Ｓ５０１）。
【０１５５】
次に、映像装置処理部２１４は、携帯端末２００とＷＬＡＮ―ＲＦ部２０７を介して映像装置１００と接続させる（Ｓ５０２）。そして、映像装置処理部２１４は、ＵＳＩＭ２１９に保存されている固体認識情報、および携帯端末２００が契約しているサービスＡの情報をＷＬＡＮアンテナ２０６を介して送信する（Ｓ５０３）。
【０１５６】
携帯端末２００から固体認識情報等を受信した映像装置１００は、受信した固体認識情報等を登録する（Ｓ５０４）。
【０１５７】
その後、認証装置登録部１３２は、登録された携帯端末２００が複数か否かを判断し（Ｓ５０５）、登録された携帯端末２００が複数であれば（Ｓ５０５でＹＥＳ）、携帯端末２００の中で認証に用いる優先順位を決定する（Ｓ５０６）。そして、登録の処理を終了する。また、登録された携帯端末２００が複数でなければ（Ｓ５０５でＮＯ）、そのまま登録の処理を終了する。
【０１５８】
（映像装置１００を操作して携帯端末２００を用いて認証を行う場合の処理の流れ）
次に、図６を用いて映像装置１００を操作して携帯端末２００を用いて認証を行う場合の処理の流れを説明する。図６は、映像装置１００を操作して携帯端末２００を用いて認証を行う場合の処理の流れを示すフローチャートである。
【０１５９】
まず、ユーザインタフェース部１０１で、ユーザによって選択されたサービスを受け付ける（Ｓ６０１）。
【０１６０】
次に、認証要否判断部１０２は、選択されたサービスが認証が必要か否かを判断する（Ｓ６０２）。これは、ＬＡＮインタフェース部１２１を介して選択されたサービスを提供しているサーバにアクセスし、当該サーバから認証の要否を取得することで行う。なお、認証の要否の判断は、記憶部１１９にサービスと認証の要否とを対応づけたテーブルを記憶させ、当該テーブルを参照することによって行ってもよい。
【０１６１】
認証要否判断部１０２は、選択されたサービスは認証が必要と判断した場合（Ｓ６０２でＹＥＳ）、認証に用いる携帯端末２００を決定する（Ｓ６０３）。これは、サービスと当該サービスの認証に用いることができる携帯端末２００とが対応づけられたテーブルが記憶部１１９に記憶されており、当該テーブルを参照することによって行う。また、複数の携帯端末２００を認証に用いることができる場合は、上述した優先順位に基づいて決定する。
【０１６２】
認証に用いる携帯端末２００が決定すると、認証要否判断部１０２は、無線部１０４を介して映像装置１００と携帯端末２００とが接続できるか試みる（Ｓ６０４）。接続が可能であれば（Ｓ６０４でＹＥＳ）、認証信号送受信部１０７は、携帯端末２００に対し認証処理を行うよう認証要求信号を送信する（Ｓ６０６）。一方、接続が不可能であれば（Ｓ６０４でＮＯ）、認証要否判断部１０２は、認証に用いる携帯端末２００を変更する（Ｓ６０５）。そして、Ｓ６０４へ進む。
【０１６３】
認証要求信号を受信した携帯端末２００は、選択されたサービスを提供しているサーバとの間で認証処理を行う（Ｓ６０７）。そして、認証が成功すると、携帯端末２００は、上記サーバから受信した認証許可情報を映像装置１００へ送信する（Ｓ６０８）。
【０１６４】
なお、認証許可情報は、サーバからインターネット３０１を介して直接映像装置１００に送信されてもよい。この場合、映像装置１００は、受信した認証許可情報を携帯端末２００へ送信してもよい。また、認証許可情報に存在可能時間を設定しておき、時間経過により、認証許可情報は消滅あるいは無効にするものであってもよい。さらに、サービスの利用が終了した場合に、認証許可情報を消滅あるいは無効にするものであってもよい。
【０１６５】
認証許可情報を受信した映像装置１００は、選択したサービスを利用する（Ｓ６０９）。そして、処理能力情報送信部１０８は、他に接続可能な携帯端末２００が存在しないか探索する（Ｓ６１０）。他に接続可能な携帯端末２００が存在すれば（Ｓ６１０でＹＥＳ）、処理能力情報送信部１０８は、映像装置１００の残存処理能力を示す残存処理能力情報（通知情報）を接続可能な携帯端末２００に送信する（Ｓ６１１）。そして、処理が終了する。
【０１６６】
一方、他に接続可能な携帯端末２００が存在しなければ（Ｓ６１０でＮＯ）、そのまま処理を終了する。また、選択されたサービスは認証不要であれば（Ｓ６０２でＮＯ）、そのまま処理を終了する。
【０１６７】
（携帯端末２００から映像装置１００を操作して認証を行う場合の処理の流れ）
次に、図７を用いて、携帯端末２００から映像装置１００を操作して認証を行う場合の処理の流れについて説明する。図７は、携帯端末２００から映像装置１００を操作して認証を行う場合の処理の流れの示すフローチャートである。
【０１６８】
まず、携帯端末２００は、ユーザインタフェース部２１５で受け付けた指示により、映像装置１００と接続する（Ｓ７０１）。そして、携帯端末２００は、映像装置１００に記憶されているサービス情報を取得する（Ｓ７０２）。
【０１６９】
そして、携帯端末２００は取得したサービス情報を表示部２２１に表示する。なお、サービス情報を表示するときに、携帯端末２００で契約しているサービスを優先的に選択できるような表示をしてもよい。
【０１７０】
次に、携帯端末２００は、ユーザインタフェース部２１５で選択されたサービスを受け付ける（Ｓ７０３）。その後は、図６のＳ６０２と同様であるので説明は省略する。
【０１７１】
（残存処理能力情報を取得後における、携帯端末２００の処理の流れ）
次に、図８を用いて、残存処理能力情報を取得後における、携帯端末２００の処理の流れを説明する。図８は、残存処理能力情報を取得後における、携帯端末２００の処理の流れを示すフローチャートである。
【０１７２】
携帯端末２００は、映像装置１００より残存処理能力情報を受信すると（Ｓ８０１）、映像装置処理部２１４において、映像装置１００に対する操作が可能か否かを判断する（Ｓ８０２）。これは、残存処理能力情報に操作不能である旨の信号が含まれており、この信号から判断するものであってもよいし、携帯端末２００に残存処理能力の閾値が記憶されており、受信した残存処理能力情報がこの閾値を下回るか否かで判断してもよい。
【０１７３】
そして、映像装置１００の操作が不可能であれば（Ｓ８０２でＮＯ）、映像装置処理部２１４は、映像装置１００に対して操作を行えないようにする（Ｓ８０３）。そして、処理は終了する。一方、映像装置１００に対する操作が可能であれば（Ｓ８０２でＹＥＳ）、処理は終了する。なお、Ｓ８０３での処理は、要求された処理と残存処理能力を比較して操作が不可能であると判断したのち、映像装置１００に対して操作を行えないようにするものであってもよい。
【０１７４】
以上のように、本実施の形態では、映像装置１００において利用するサービス（コンテンツデータの受信、再生等）に対し認証が必要な場合に携帯端末２００を用いて認証を行うことができるシステムにおいて、携帯端末２００同士の映像装置１００に対する操作が重なることによる映像装置１００の誤動作を防止できるものである。
【０１７５】
映像装置１００におけるデータの受信、再生においては、著作権保護や、ネットワーク上のセキュリティの観点から、認証・暗号化が深く関わっている。そして、インターネットに接続されたＰＣと同様な認証・暗号化手段（例えばＳＳＬ（Secure Socket Layer））を用いてユーザ認証を行い、コンテンツの視聴や、ダウンロードを行った場合、盗聴成りすましなどの可能性があり、携帯電話網に比較して安全性が低い。これに対し、認証において、ＵＳＩＭを用いた携帯電話網の仕組みを使用すれば、安全性を高めることができる。
【０１７６】
〔実施の形態２〕
本発明の他の実施の形態について図９〜図１１に基づいて説明すれば、以下のとおりである。なお、説明の便宜上、前記の実施の形態１において示した部材と同一の機能を有する部材には、同一の符号を付し、その説明を省略する。
【０１７７】
図９は、本実施の形態に係るデータ受信システム９００の構成を示す説明図である。図１０は、本実施の形態に係る映像装置９０１のブロック図である。図１１は、本実施の形態に係る携帯端末９０２のブロック図である。
【０１７８】
なお、携帯端末９０２Ａおよび携帯端末９０２Ｂは、携帯端末９０２と同じ構成を有し、ＵＳＩＭ２１９が保存している固体認識情報のみが異なるものである。ここでは、携帯端末９０２Ａが備えているＵＳＩＭをＵＳＩＭ９１９Ａ、携帯端末９０２Ｂが備えているＵＳＩＭをＵＳＩＭ９１９Ｂとする。
【０１７９】
本実施の形態において、上記実施の形態と異なる点は、携帯端末９０２Ａと携帯端末９０２Ｂとが近接無線通信を行うことが可能である（パーソナルエリアネットワークを構成している）点と、映像装置９０１の指示により携帯端末９０２Ａが携帯端末９０２Ｂに対し、通知情報を送信する点である。
【０１８０】
映像装置９０１は、映像装置１００の構成に加え通知情報送信指示部（通知情報送信指示手段）１３３を備えている。通知情報送信指示部１３３は、携帯端末９０２Ａから認証許可情報を受信すると、携帯端末９０２Ａに対し、携帯端末９０２Ｂへ通知情報を送信するように指示する。
【０１８１】
また、携帯端末９０２は、携帯端末２００の構成に加え、通知情報処理部（要求信号受信手段、通知情報送信手段、認証情報送信手段）２２７を備えている。通知情報処理部２２７は、映像装置９０１の通知情報送信指示部１３３より通知情報の送信を指示されると他の携帯端末９０２に対し通知情報を送信する。
【０１８２】
ここで、通知情報とは、映像装置９０１において認証およびそれに伴う処理が行われている旨を示す情報である。
【０１８３】
次に、本実施の形態における処理の流れを図１２を用いて説明する。図１２は、映像装置９０１を操作して携帯端末９０２Ａを用いて認証を行う場合の処理の流れを示すフローチャートである。なお、ここでは映像装置１００を操作して携帯端末９０２Ａを用いて認証を行う場合について説明するが、携帯端末９０２Ａ（または９０２Ｂ）から操作を行う場合についても当てはまる。
【０１８４】
Ｓ６０８までは、図６と同様であるので説明は省略する。認証許可情報を受信した映像装置９０１は、通知情報送信指示部１３３が携帯端末９０２Ａに対し通知情報を携帯端末９０２Ｂに送信するよう指示する（Ｓ１２０１）。
【０１８５】
通知情報を送信するように指示された携帯端末９０２Ａは、通知情報処理部２２７が携帯端末９０２Ｂに対し通知情報を送信する（Ｓ１２０２）。
【０１８６】
なお、パーソナルネットワークを構成している携帯端末９０２は、２台に限られるわけではなく、何台存在していてもよい。携帯端末９０２が、３台以上存在している場合は、映像装置９０１から通知情報の送信を指示された携帯端末９０２は、パーソナルネットワークを構成している他の携帯端末９０２すべてに通知情報を送信する。
【０１８７】
また、映像装置９０１、複数の携帯端末９０２がパーソナルネットワークを構成している場合、映像装置９０１が認証に用いることができる携帯端末９０２の登録を、自装置ではなく、パーソナルネットワークを構成するいずれかの装置に記憶させておくものであってもよい。さらに、インターネット上のサーバに記憶させておいてもよい。
【０１８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８９】
最後に、映像装置１００、および携帯端末２００各ブロック、特に認証要否判断部１０２、操作信号受信部１０５、データ情報送信部１０６、認証信号送受信部１０７、処理能力情報送信部１０８、データ処理部１１６、映像処理部１１７、音声処理部１１８、主制御部１２０、認証・暗号化・コピープロテクション制御部１２５、ＨＤＤドライブ制御部１２７、ＤＶＤドライブ制御部１２９、認証装置登録部１３２、通知情報送信指示部１３３、３Ｇ通信処理部２０５、ＷＬＡＮ通信処理部２１０、映像装置処理部２１４、主制御部２１７、暗号化・認証処理部２１８、音声処理部２２２、および通知情報処理部２２７は、ハードウェアロジックによって構成してもよいし、次のようにＣＰＵを用いてソフトウェアによって実現してもよい。
【０１９０】
すなわち、映像装置１００、および携帯端末２００は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである映像装置１００、携帯端末２００の制御プログラムのプログラムコード（実行形式プログラム、中間コードプログラム、ソースプログラム）をコンピュータで読み取り可能に記録した記録媒体を、上記映像装置１００、および携帯端末２００に供給し、そのコンピュータ（またはＣＰＵやＭＰＵ）が記録媒体に記録されているプログラムコードを読み出し実行することによっても、達成可能である。
【０１９１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９２】
また、映像装置１００、および携帯端末２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９３】
（その他の構成）
上記データ装置は、ICカードの情報を使用して認証を行う事で、通信網と接続して通信を行う網通信手段と、外部のデータ端末装置(STBやDVDレコーダ等)と通信を行う携帯・データ端末間通信手段を備える携帯端末装置と、複数のコンテンツ入手手段と、携帯端末装置との携帯・データ端末間通信手段を備え、複数のコンテンツ入手手段のそれぞれに対応した認証を行う事で、コンテンツの入手が可能なデータ端末装置において、前記携帯端末装置が行う認証作業に関する情報を、前記データ通信端末通信手段により通信する事で、コンテンツ入手に必要な認証手段とする事が可能な構成としてもよい。
【０１９４】
また、前記リモート認証システムにおいて、他の携帯端末によるリモート認証に関する情報を表示する構成としてもよい。
【０１９５】
上記携帯端末装置は、前記リモート認証システムにおいて、他の携帯端末によるリモート認証に関する情報を、携帯・データ端末間通信手段により取得し、表示する構成としてもよい。
【０１９６】
また、上記データ装置および上記携帯端末装置は、前記リモート認証システムにおいて、リモート認証に関する情報を表示する手段として、文字図形表示装置を用いる構成としてもよい。
【０１９７】
また、前記リモート認証システムにおいて、リモート認証に関する情報を表示する手段として、発光デバイス装置を用いる構成としてもよい。
【０１９８】
また、前記リモート認証システムにおいて、リモート認証に関する情報を、映像出力として出力可能な手段を備える構成としてもよい。
【０１９９】
また、前記リモート認証システムにおいて、リモート認証を行う携帯端末において、それぞれ異なったリモート認証表示を行う構成としてもよい。
【０２００】
また、前記リモート認証システムにおいて、リモート認証を行うデータ端末において、それぞれ異なったリモート認証表示を行う構成としてもよい。
【０２０１】
また、前記リモート認証システムにおいて、リモート認証を行う携帯端末とデータ端末において、同じもしくは相関を持ったリモート認証表示を行う構成としてもよい。
【産業上の利用可能性】
【０２０２】
認証により許可されたデータの処理を行っている旨を、認証に用いていない装置にも通知することができるので、複数の認証装置と通信可能で、当該認証装置から操作されるデータ処理装置、例えば、認証の必要なコンテンツデータを再生でき、必要な認証は他の複数の認証装置のうちの１つを用いて行う映像再生装置に好適である。
【図面の簡単な説明】
【０２０３】
【図１】本発明の実施形態を示すものであり、映像装置の要部構成を示すブロック図である。
【図２】上記実施形態を示すものであり、携帯端末の要部構成を示すブロック図である。
【図３】上記実施形態を示すものであり、データ受信システムの構成を示す説明図である。
【図４】上記実施の形態において、映像装置が、携帯端末２００を登録する処理の流れを示すフローチャートである。
【図５】上記実施の形態において、携帯端末が、自端末を映像装置に登録させる処理の流れを示すフローチャートである。
【図６】上記実施の形態において、映像装置を操作して携帯端末を用いて認証を行う場合の処理の流れを示すフローチャートである。
【図７】携帯端末から映像装置を操作して認証を行う場合の処理の流れの示すフローチャートである。
【図８】上記実施の形態において、残存処理能力情報を取得後の携帯端末での処理の流れを示すフローチャートである。
【図９】本発明の他の実施形態を示すものであり、データ受信システムの構成を示す説明図である。
【図１０】上記他の実施形態を示すものであり、映像装置の要部構成を示すブロック図である。
【図１１】上記他の実施形態を示すものであり、携帯端末の要部構成を示すブロック図である。
【図１２】上記他の実施形態において、映像装置を操作して携帯端末を用いて認証を行う場合の処理の流れを示すフローチャートである。
【符号の説明】
【０２０４】
１００  映像装置（データ処理装置）
１０７  認証信号送受信部（認証許可情報受信手段、通知情報送信手段）
１０８  処理能力情報送信部（通知情報送信手段）
１３３  通知情報送信指示部（通知情報送信指示手段）
２００  携帯端末（認証遠隔操作装置）
２１４  映像装置処理部（通知情報受信手段、操作制限手段）
２２７  通知情報処理部（要求信号受信手段、通知情報送信手段、認証情報送信手段）
３００  データ受信システム（データ処理システム）
【図１】
2010041432.tif 000003
【図２】
2010041432.tif 000004
【図３】
2010041432.tif 000005
【図４】
2010041432.tif 000006
【図５】
2010041432.tif 000007
【図６】
2010041432.tif 000008
【図７】
2010041432.tif 000009
【図８】
2010041432.tif 000010
【図９】
2010041432.tif 000011
【図１０】
2010041432.tif 000012
【図１１】
2010041432.tif 000013
【図１２】
2010041432.tif 000014